(57)【要約】  ｎ（ｎ≧４で、かつ整数）チャネル音声信号（Ｌ、Ｒ、Ｌｓ、Ｒｓ）を２チャネル音声信号（Ｒｏ、Ｌｏ）に変換する方法が説明される。方法は、ｎチャネル音声信号における同側のフロント信号成分（Ｒ、Ｌ）およびリア信号成分（Ｒｓ、Ｌｓ）と、ｎチャネル音声信号における反対側のフロント信号成分（Ｌ、Ｒ）と、ｎに依存する項との結合によって、２チャネル音声信号である右音声信号（Ｒｏ）か左音声信号（Ｌｏ）の一方を生成するステップを含む。
2015510327.tif 000002
【特許請求の範囲】
【請求項１】
ｎチャネル音声信号（ｎ≧４で、かつ整数）を２チャネル音声信号に変換する方法であって、
前記ｎチャネル音声信号における同側のフロント信号成分およびリア信号成分と、
前記ｎチャネル音声信号における反対側のフロント信号成分と、
ｎに依存する項と
の結合によって、前記２チャネル音声信号である右音声信号か左音声信号の一方を生成するステップを含み、
前記結合において、前記ｎチャネル音声信号における前記反対側の前記フロント信号成分は、要素δと乗算され、
前記要素δは、δ＜１であり、望ましくは、［０，０．５］の範囲であり、より望ましくは、δ＝０．２５であり、
前記２チャネル音声信号である前記右音声信号か前記左音声信号の他方は、
前記ｎチャネル音声信号における前記同側の前記フロント信号成分および前記リア信号成分と、
前記ｎに依存する項と
の結合によって、生成され、
前記同側の前記フロント信号成分は、望ましくは、要素ηと乗算され、
ηは実質的に１−δに等しい方法。
【請求項２】
ｎチャネル音声信号（ｎ≧４で、かつ整数）を２チャネル音声信号に変換する装置であって、
前記ｎチャネル音声信号における同側のフロント信号成分およびリア信号成分と、
前記ｎチャネル音声信号における反対側のフロント信号成分と、
ｎに依存する項と
の結合によって、前記２チャネル音声信号である右音声信号か左音声信号の一方を生成する生成手段を備え、
前記生成手段は、前記ｎチャネル音声信号における前記反対側の前記フロント信号成分に要素δを乗算するようにさらに適応され、
前記生成手段は、
前記ｎチャネル音声信号における前記同側の前記フロント信号成分および前記リア信号成分と、
前記ｎに依存する項と
の結合によって、前記２チャネル音声信号である前記右音声信号か前記左音声信号の他方を生成するようにさらに適応され、
前記要素δは、δ＜１であり、望ましくは、［０，０．５］の範囲であり、より望ましくは、δ＝０．２５であり、
前記同側の前記フロント信号成分は、望ましくは、要素ηと乗算され、
ηは実質的に１−δに等しい装置。
【請求項３】
前記ｎチャネル音声信号を受信する入力装置と、
前記ｎチャネル音声信号を２チャネルステレオ音声信号に変換するダウンミキシングユニットと、
前記２チャネルステレオ音声信号を供給する出力装置と
を備え、
前記ダウンミキシングユニットは、前記２チャネルステレオ音声信号の右手チャネル成分を以下の式により生成するように適応され、
Ｒｏ＝η・Ｒ＋β・Ｒｓ＋δ・Ｌ＋Ａ（ｎ）
ＲとＬは、４チャネル音声信号の右の前記フロント信号成分および左の前記フロント信号成分であり、Ｒｓは、前記４チャネル音声信号の右サラウンドの前記リア信号成分であり、βとδは、１よりも小さい乗率であり、ηは、η≦１を満たす乗率であり、Ａ（ｎ）は、ｎに依存する式である請求項２に記載のｎチャネル音声信号（ｎ≧４で、かつ整数）を２チャネルステレオ音声信号に変換する装置。
【請求項４】
前記ｎチャネル音声信号を受信する入力装置と、
前記ｎチャネル音声信号を２チャネルステレオ音声信号に変換するダウンミキシングユニットと、
前記２チャネルステレオ音声信号を供給する出力装置と
を備え、
前記ダウンミキシングユニットは、前記２チャネルステレオ音声信号の左手チャネル成分を以下の式により一時的に生成するように適応され、
Ｌｏ＝η・Ｌ＋β・Ｌｓ＋δ・Ｒ＋Ｂ（ｎ）
ＲとＬは、４チャネル音声信号の右の前記フロント信号成分および左の前記フロント信号成分であり、Ｌｓは、前記４チャネル音声信号の左サラウンドの前記リア信号成分であり、βとδは、１よりも小さい乗率であり、ηは、η≦１を満たす乗率であり、Ｂ（ｎ）は、ｎに依存する式である請求項２または請求項３に記載のｎチャネル音声信号（ｎ≧４で、かつ整数）を２チャネルステレオ音声信号に変換する装置。
【請求項５】
ｎ＝４の場合、Ａ（ｎ）＝Ｂ（ｎ）＝０であり、ηが望ましくは、１−δに等しい請求項３または請求項４に記載の装置。
【請求項６】
ｎ＝５の場合、Ａ（ｎ）＝Ｂ（ｎ）＝α・Ｃであり、Ｃが５チャネル音声信号のセンター信号成分であり、αが１よりも小さい乗率であり、ηが望ましくは、１−δに等しい請求項３または請求項４に記載の装置。
【請求項７】
ｎ＝７の場合、Ａ（ｎ）＝α・Ｃ＋γ・Ｒｓｓ＋ε・Ｌｓｓで、Ｂ（ｎ）＝α・Ｃ＋γ・Ｌｓｓ＋ε・Ｒｓｓであり、Ｃが７チャネル音声信号のセンター信号成分であり、Ｌｓｓが前記７チャネル音声信号の左側の信号成分であり、Ｒｓｓが前記７チャネル音声信号の右側の信号成分であり、α、γ、εは、１よりも小さい乗率であり、ηが望ましくは、１−δ−εに等しい請求項３または請求項４に記載の装置。
【請求項８】
δ＞ε／γである請求項７に記載の装置。
【請求項９】
第１制御信号および第２制御信号を受信する制御信号受信手段を備え、
前記第１制御信号および前記第２制御信号のそれぞれの存在により定義される時間間隔の間、前記ダウンミキシングユニットは、前記２チャネルステレオ音声信号の前記左手信号成分および前記右手信号成分を生成するように適応される請求項３から請求項８のいずれか１項に記載の装置。
【請求項１０】
前記ｎチャネル音声信号は、さらに、前記第１制御信号および前記第２制御信号を含む付加的なチャネルを含み、
前記付加的なチャネルを受信し、前記制御信号受信手段に供給する入力装置をさらに備える請求項９に記載の装置。
【請求項１１】
第１制御信号および第２制御信号を含む付加的なチャネルを含むｎチャネル音声信号を生成し、請求項９に記載の装置に供給する記録装置であって、
少なくとも、フロントレフトチャネル、フロントライトチャネル、バックレフトチャネル、およびバックライトチャネルにより表される４つの音声チャネルから音声信号を受信する入力装置と、
記録された音声シーンの左側に沿って割り当てられた２または２よりも多くの音声信号から記録が作られる場合に第１制御信号を生成し、記録された音声シーンの右側に沿って割り当てられた２または２よりも多くの音声信号から記録が作られる場合に第２制御信号を生成する制御信号生成手段と、
前記第１制御信号および前記第２制御信号を前記付加的なチャネルに含ませる手段と
を備える記録装置。
【請求項１２】
コンピュータプログラムであって、
前記コンピュータプログラムがコンピュータ上で動作される場合に、請求項１に記載の方法を実行するように適応されたコンピュータプログラムコード手段を含むコンピュータプログラム。
【請求項１３】
コンピュータ可読媒体であって、
前記コンピュータ可読媒体に記録されたプログラムと、
前記プログラムがコンピュータ上で動作される場合に、請求項１に記載の方法を実行するように適応されたコンピュータプログラムコード手段と
を有するコンピュータ可読媒体。
【発明の詳細な説明】
【技術分野】
【０００１】
本発明は、マルチチャネル音声信号を２チャネル音声信号に変換する方法および装置に関する。
【背景技術】
【０００２】
マルチチャネル音声信号を２チャネル音声信号に変換する技術は、公知であり、通常、ダウンミキシング技術と呼ばれる。
【０００３】
ダウンミキシングにより、２つのチャネルおよび２つのスピーカキャビネットを持つ通常のステレオ設備により、オリジナルのマルチチャネル音声信号を再生することが可能になる。それにもかかわらず、公知のダウンミキシング技術は、音の物理的な起点を聞き手に認識させることはできない。それは通常、マルチチャネル再生システムでオリジナルのマルチチャネル信号を再生することによって達成される、
【０００４】
周知のマルチチャネル音声信号の一例は、所謂サラウンドサウンドシステムである。チャネルサラウンド表現は、２つのフロントステレオチャネルＬ、Ｒに加えて、付加的なフロントセンターチャネルＣと２つのサラウンドリアチャネルＬｓ、Ｒｓとを含む。記録段階での物理的なマイクの配置は、例えば図１に示される。５つのマイクｍＬ、ｍＲ、ｍＣ、ｍＬｓ、ｍＲｓは、記録スタジオ内に配置される。マイクは、それぞれ上記で示されるように、サラウンド音声信号Ｌ、Ｒ、Ｃ、Ｌｓ、Ｒｓを生成する。これらのサラウンド音声信号は、例えば図２に示されるように、再生の間、視聴室に位置する対応するスピーカに供給される。
【０００５】
知られているように、ステレオ信号Ｌ´、Ｒ´へのオリジナルのサラウンド音声信号Ｌ、Ｒ、Ｃ、Ｌｓ、Ｒｓのダウンミキシングは、例えば、次の式により与えられるオリジナル信号の線形結合を実行することにより、作られる。
Ｌ´＝Ｌ＋α・Ｃ＋β・Ｌｓ
Ｒ´＝Ｒ＋α・Ｃ＋β・Ｒｓ
【０００６】
ここで、αおよびβは定数であり、例えば、０．５に等しい。２つのステレオ信号Ｌ´、Ｒ´のそれぞれは、同側のフロント信号およびリア信号、ならびにセンターチャネルＣの線形結合により与えられる。
【０００７】
図３を参照すると、ステレオ信号Ｌ´、Ｒ´は、聞き手に対して再生のために配置されたステレオスピーカの左右のスピーカに供給される。このように、２つのスピーカＬ、Ｒによりサラウンド音声信号がダウンミックスされた形態で再生されたとしても、位置Ｐ１に位置する聞き手は、（疑似）サラウンドのような感じを知覚する。
【０００８】
図１に示されるように、例えば５チャネルの記録が２人の話し手から発せされる音から作られる状況を想定する。１人（Ｓ１）はマイクｍＬｓの近くの位置に立っており、もう１人（Ｓ２）はマイクｍＬの近くの位置に立っている。これらの音は、２つの右側のマイクｍＲ、ｍＲｓが価値のある寄与を感知しないようなレベルを有する。
【０００９】
ステレオスピーカを通じてのこの記録の再生と同時に、かつ上述したような公知の技術によるダウンミキシングの後に、マイクｍＬｓ、マイクｍＬからの全ての音声信号は、左スピーカＬにより再生され、２人の話し手の正確な（別々の）位置を特定することはできない。すなわち、マイクｍＬｓおよびマイクｍＬの位置にいる両方の話し手により引き起こされたサウンド信号は、直ちに、左スピーカＬにより再生され、聞き手は、両方の話し手が左スピーカの位置にいるように、知覚する。
【００１０】
この特定の例によって、聞き手は、ダウンミックスされた音声信号により話し手の位置の間を識別することはできず、それ故、それらのオリジナル位置についてサウンド源の間の相対的な仮想位置を維持することができない、といういくつかの状況が存在することが示される。これは、生成／記録段階において、サウンド源がフロントピックアップ手段およびリアピックアップ手段の片側だけに近接している状況において、よりはっきりと当てはまる。
【００１１】
別の問題のある状況は、話し手が１つのマイク位置から別のマイク位置まで歩く場合に起こり得る。その動作は、公知のダウンミキシングシステムでは把握され得ない。
【発明の概要】
【課題を解決するための手段】
【００１２】
したがって、本発明の主な目的は、上記問題を克服するべく、マルチチャネル音声信号を２チャネル音声信号に変換する方法および装置を提供することである。
【００１３】
本発明の目的は、請求項１によると、ｎ（ｎ≧４で、かつ整数）チャネル音声信号（Ｌ、Ｒ、Ｌｓ、Ｒｓ）を２チャネル音声信号（Ｒｏ、Ｌｏ）に変換する方法であって、ｎチャネル音声信号における同側（右または左）のフロント信号成分（Ｒ、Ｌ）およびリア信号成分（Ｌｓ、Ｒｓ）と、ｎチャネル音声信号における反対側（左または右）のフロント信号成分（Ｌ、Ｒ）と、ｎに依存する項との結合によって、２チャネル音声信号である右音声信号（Ｒｏ）か左音声信号（Ｌｏ）の一方を生成するステップを含む。
【００１４】
望ましくは、方法において、結合における、ｎチャネル音声信号における反対側のフロント信号成分（Ｌ、Ｒ）は、要素δと乗算され、要素δは、δ＜１であり、望ましくは、［０，０．５］の範囲であり、より望ましくは、δ＝０．２５である。
【００１５】
望ましくは、方法において、２チャネル音声信号である右音声信号（Ｒｏ）か左音声信号（Ｌｏ）の他方は、ｎチャネル音声信号における同側（左または右）のフロント信号成分（Ｒ、Ｌ）およびリア信号成分（Ｌｓ、Ｒｓ）と、ｎに依存する項との結合によって生成され、フロント信号成分（Ｒ、Ｌ）は、要素１−δと乗算される。
【００１６】
本発明のさらなる目的は、上記方法を実装するように構成される装置である。
【００１７】
これらとさらなる目的は、添付されたクレームにより説明されたように、マルチチャネル音声信号を２チャネル音声信号に変換する装置および方法の手段により達成される。それは、本説明の不可欠な部分を形成する。
【図面の簡単な説明】
【００１８】
発明は、添付された図面を参照して読まれるために、単なる例示と非限定的な例として与えられる、以下の詳細な説明から、十分に明確になる。
【図１】サラウンドサウンド信号の記録のための５つのマイクの配置例を示す。
【図２】サラウンドサウンド信号の再生のための５つのスピーカの配置例を示す。
【図３】本発明で得られるさらなるサウンド源の仮想存在と共に、２チャネルサウンドの再生のための２つのスピーカの配置例を示す。
【図４】図１と同等の状況を示しており、７つのマイクが存在している。
【図５】図２と同等の状況を示しており、７つのスピーカが存在している。
【図６】図３と同等の状況を示しており、さらなるサウンド源が存在している。
【図７】本発明による装置の実施例におけるブロック図を示す。
【図８】本発明による装置の実施例におけるブロック図を示す。
【図９】本発明による装置の実施例におけるブロック図を示す。  図面における同一の参照番号および文字は、同一または機能的に同等な部分を指定する。
【発明を実施するための形態】
【００１９】
本発明の方法の実施例におけるいくつかの特定の非限定的な例は、以下に説明される。
【００２０】
発明の第１実施例は、主に上述した１つのような状況に適用され、図１および図２に関連している。ここで、Ｌ、Ｒ、Ｃ、Ｌｓ、およびＲｓは、すでに言及された、マルチチャネル音声信号のそれぞれフロントレフト成分、フロントライト成分、センター成分、バックレフト成分、およびバックライト成分である。この場合に、ｎ＝５の入力チャネルで入力マルチチャネル音声信号を持つ。
【００２１】
一般的に、入力信号が必ずしもマイク信号である必要はないということは、注意する価値がある。それらは、例えば、ミキシングコンソール、コンピュータ／人工的に生成されたコンテンツ（ルームシミュレーションツール等）、一般的な再生装置等のマルチチャネル（サラウンド）信号を生成可能などのような装置によっても提供され得る。
【００２２】
発明によれば、ダウンミキシング処理のための以下の式が適用され、以下の式において２つのステレオ信号の１つ、例えばＲｏは修正される。
Ｌｏ＝Ｌ＋α・Ｃ＋β・Ｌｓ
Ｒｏ＝Ｒ＋α・Ｃ＋β・Ｒｓ＋δ・Ｌ
【００２３】
ここで、Ｌｏ、Ｒｏはダウンミックスされた音声信号のレフト成分およびライト成分であり、αおよびβは上述したような定数であり、δは定数であり、望ましくは実質的に０．５よりも小さい。
【００２４】
−３ｄＢ＝０．７０７９４５. . . .が望ましいものの、αおよびβの取り得る範囲は、［０，１］である。
【００２５】
０．２５が望ましいものの、δの取り得る範囲は、［０，０．５］である。
【００２６】
望ましくは、信号Ｌｏはまた以下の方法で修正される。
Ｌｏ＝η・Ｌ＋α・Ｃ＋β・Ｌｓ
【００２７】
ここで、望ましくは、η≦１であり、より望ましくは、η＝（１−δ）である。
【００２８】
ηは、ダウンミックス信号により生成される音のグローバルレベルをマルチチャネルサラウンド信号のグローバルレベルに近づけるために、ここに導入される。
【００２９】
このように、マイクｍＬｓの位置にいる話し手（以下、第１の話し手Ｓ１として定義される）により生成されるサウンド信号は、左スピーカ（のみ）によって再生される。したがって、例えば図３に描かれているように、聞き手は、第１の話し手を左スピーカＬの位置にいるように知覚する。
【００３０】
しかしながら、マイクｍＬの位置にいる話し手（以下、第２の話し手Ｓ２として定義される）により生成されるサウンド信号は、左スピーカと右スピーカの両方によって再生される。結果として、聞き手は、第２の話し手Ｓ２を左スピーカと右スピーカの間に位置する所謂ファントム源として知覚する。δが実質的に０．５よりも小さければ、図３に示すように、話し手Ｓ２からの音が仮想スピーカＶＬから聞こえてくるように、その位置は、聞き手から見て、中央線ｃｌの左になる。
【００３１】
つまり、信号Ｌの一部分を右スピーカに供給することにより、マイクｍＬｓとマイクｍＬの位置にいる２人の話し手は、聞き手によって、今やそれぞれ左スピーカの位置および左スピーカの右側にいるように知覚されるので、２人を区別することができる。
【００３２】
同様に、記録がマイクｍＲｓに近接する位置にいる１人と、マイクｍＲに近接する位置にいるもう１人との２人の話し手により作られる場合には、修正は、通常のステレオ再生の間とダウンミキシングの後に、２人の話し手の識別された位置の特定を可能にすることが必要とされる。
【００３３】
ダウンミキシング処理のための以下の式が適用され、式においてステレオ信号Ｌｏは修正される。
Ｌｏ＝Ｌ＋α・Ｃ＋β・Ｌｓ＋δ・Ｒ
Ｒｏ＝Ｒ＋α・Ｃ＋β・Ｒｓ
【００３４】
ここで、α、βおよびδは、上述した場合のように定数である。また、この場合、望ましくは、δは実質的に０．５よりも小さい。
【００３５】
望ましくは、Ｒｏ信号はまた以下の方法により修正される。
Ｒｏ＝η・Ｒ＋α・Ｃ＋β・Ｒｓ
【００３６】
ここで、望ましくは、η≦１であり、より望ましくは、η＝（１−δ）である。
【００３７】
このように、マイクｍＲｓの位置にいる話し手（以下、第１の話し手Ｓ１として定義される）により生成されるサウンド信号は、右スピーカ（のみ）により再生される。したがって、聞き手は、第１の話し手を右スピーカＲの位置にいるように知覚する。
【００３８】
しかしながら、マイクｍＲの位置にいる話し手（以下、第２の話し手Ｓ２として定義される）により生成されるサウンド信号は、左スピーカと右スピーカの両方によって再生される。この結果として、聞き手は、第２の話し手Ｓ２を、左スピーカと右スピーカの間の位置にいるように知覚する。δが実質的に０．５よりも小さければ、話し手Ｓ２からの音が、中央線ｃｌと右スピーカＲとの間に位置される仮想スピーカＶＲ（図３には示されていない）から聞こえてくるように、その位置は、聞き手から見て、中央線ｃｌの右になる。
【００３９】
つまり、信号Ｒの一部分を左スピーカに供給することにより、マイクｍＲｓとマイクｍＲの位置にいる２人の話し手は、聞き手によって、今やそれぞれ右スピーカおよび右スピーカの左側にいるように知覚されるので、２人を区別することができる。
【００４０】
上述された両方の状況から、オリジナルの相対的な位置に関して、維持されるものは、２つの信号源の間の相対的な仮想位置であることがわかる。
【００４１】
一般的に、２チャネル音声信号である右音声信号（Ｒｏ）か左音声信号（Ｌｏ）の一方は、ｎチャネル音声信号における同側（右または左）のフロント信号成分（Ｒ、Ｌ）およびリア信号成分（Ｌｓ、Ｒｓ）と、ｎチャネル音声信号における反対側（左または右）のフロント信号成分（Ｌ、Ｒ）と、Ｒｏの式におけるＡ（ｎ）とＬｏの式におけるＢ（ｎ）として以下で識別される、ｎに依存する項と、の結合によって与えられる。
【００４２】
望ましくは、２チャネル音声信号である右音声信号（Ｒｏ）か左音声信号（Ｌｏ）の他方は、ｎチャネル音声信号における同側（左または右）のフロント信号成分（Ｒ、Ｌ）およびリア信号成分（Ｌｓ、Ｒｓ）と、ｎに依存する項と、の結合によって生成される。フロント信号成分（Ｒ、Ｌ）は、望ましくは、要素ηと乗算される。
【００４３】
ｎ＝５の場合、Ａ（ｎ）＝Ｂ（ｎ）＝（α・Ｃ）であり、したがって、センターチャネルＣによる寄与が与えられる。望ましくは、η＝１−δである。
【００４４】
発明の方法における第２の実施例は、ｎ＝４の入力チャネルで入力マルチチャネル音声信号を伴う状況に適用される。ここで、センターチャネルＣは欠けており、上述で定義されたように、チャネルＬ、Ｒ、Ｌｓ、Ｒｓを有している。
【００４５】
この場合に、上述の式（ｎ＝５の場合）は、項（α・Ｃ）なしに、Ｒｏ、Ｌｏのためにさらに適用され、したがって、Ａ（ｎ）＝Ｂ（ｎ）＝０であり、望ましくは、η＝（１−δ）である。
【００４６】
発明の方法における第３実施例は、ｎ＝７の入力チャネルで入力マルチチャネル音声信号を伴う状況に適用される。
【００４７】
図４および図５に関して、この場合には、ｎ＝５の場合と同様に、それぞれフロントレフト、フロントライト、センター、バックレフト、およびバックライトである、５つのマルチチャネル音声信号の成分Ｌ、Ｒ、Ｃ、Ｌｓ、およびＲｓをやはり持っており、さらにその上右側チャネルＲｓｓと左側チャネルＬｓｓにより与えられる２つの付加的な成分を持っている。
【００４８】
先の場合のように、マイクｍＬｓの位置にあるサウンド源Ｓ１と、マイクｍＬの位置にある他のサウンド源Ｓ２とを持つ。今、第３のサウンド源（例えば話し手）Ｓ３は、（図４のように）左側のマイクｍＬｓｓの位置にいる。同等な状況は、付加的なサウンド源Ｓ１がマイクｍＲｓｓの位置にいる、右側でも当てはまる。
【００４９】
また、ｎ＝７のこの場合では、上述の式（ｎ＝５の場合）は、Ｒｏ、Ｌｏのためにさらに適用される。変化しているものは、Ａ（ｎ）とＢ（ｎ）の値であり、これらの値において、付加的な寄与は、左側チャネルＬｓｓまたは右側チャネルＲｓｓによってもたらされる。
【００５０】
実際に現在、Ａ（ｎ）＝α・Ｃ＋γ・Ｒｓｓ＋ε・ＬｓｓとＢ（ｎ）＝α・Ｃ＋γ・Ｌｓｓ＋ε・Ｒｓｓである。付加的な乗率γ、εは、望ましくは、１よりも小さい。さらに、望ましくは、η＝（１−δ−ε）である。より望ましくは、δ＞ε／γである。
【００５１】
図６に関して、ｎ＝７のこの場合には、マイクｍＲｓの位置またはマイクｍＬｓの位置にいる話し手Ｓ１により生成されるサウンド信号は、右スピーカＲまたは左スピーカＬ（のみ）により再生される。
【００５２】
マイクｍＲの位置またはマイクｍＬの位置にいる話し手Ｓ２により生成されるサウンド信号は、左スピーカと右スピーカの両方により再生される。この結果として、聞き手は、第２の話し手Ｓ２を、仮想スピーカＶＬ２からのように、左スピーカＬと右スピーカＲの間の位置にいるように知覚する。また、マイクｍＲｓｓの位置またはマイクｍＬｓｓの位置にいる話し手Ｓ３により生成されるサウンド信号は、入力信号間の異なるバランスを持って、左スピーカと右スピーカの両方により再生される。聞き手は、第３の話し手Ｓ３を、Ｓ２についてとは異なり、仮想スピーカＶＬ３からのように、左スピーカＬと右スピーカＲの間の位置にいるように知覚する。また、この場合には、オリジナルの相対的な位置について維持されている３つの信号源の間の相対的な仮想位置が維持される。
【００５３】
一般的に、オリジナルのサウンド成分の寄与を比例的に減少させることにより、種々の式における乗率α、β、δ、η、γ、εの存在は、ダウンミックスされた信号により生成される音のグローバルレベルの制御のために必要なものを考慮することを保つ。
【００５４】
本発明においてマルチチャネル音声信号を２チャネル音声信号に変換する方法の実施のための装置のいくつかの例が関係している限り、以下のことが適用され得る。
【００５５】
マルチチャネル（サラウンド）記録の記録および生産段階での信号に対して発明の方法を適用することにより、ステレオアンプとステレオスピーカの配置で、消費者のステレオ設備のインストールベースに修正が必要でないという利益を得ることができる。それが修正されたダウンミックスされたステレオ信号を受信する限り、サウンド源の別々の位置の特定は可能である。
【００５６】
オリジナルのマルチチャネル（サラウンド）信号の送信の場合には、発明の方法は、方法の実施のための手段を含むべく十分に修正された、消費者の音声設備において実施され得る。
【００５７】
望ましくは、サラウンド音声信号を生成する間、適用するためのどの式を、いつ選択するかをテレオ設備に許可するために、付加的な制御信号は、含まれ得る。
【００５８】
これらの付加的な制御信号は、マルチチャネル（サラウンド）信号と一緒に送信されるメタデータに含まれ得る。例えば、音声信号のマスキングレベルの下に、それらは１以上の音声チャネルに埋められ、または、付加的なチャネルに挿入され得る。
【００５９】
したがって、消費者の音声設備のダウンミキシングユニットは、付加的な制御信号の存在により定義される時間間隔の間、ステレオ音声信号の左手信号成分および右手信号成分を生成するために適応される。
【００６０】
図７、８および９に関して、発明による装置の実施例において、それぞれｎ＝４、ｎ＝５、ｎ＝７の場合の３つのブロック図が説明される。
【００６１】
図７では、サウンド源Ｌ、Ｌｓ、Ｒｓ、Ｒからもたらされる４つの入力信号が、それらと、上記のｎ＝４の場合の式による要素β、δ、ηとを乗算する回路に適用される。それぞれの結果は、ダウンミックスされたステレオ信号Ｌｏ、Ｒｏの出力として与えている、２つの加算回路ＡＤ１、ＡＤ２にそれぞれ供給される。
【００６２】
制御回路ＣＮＴ１は、複数の乗率のそれぞれが特定の式の選択に従って、すなわち、音声シーンのサウンド源の位置および／または動きに応じて、効果的に適応されることを可能にするために、制御信号を供給する。制御回路ＣＮＴ１は、適応されるべき選択を制御するための入力信号ＩＮ１を受信する。
【００６３】
マルチチャネルから２チャネルへの変換が記録設備および生産設備で成されるのであれば、公知の基準に従って、制御信号は、例えば適切に記録コンソールを制御することにより、生成され得る。
【００６４】
マルチチャネルから２チャネルへの変換が受信機で成されるのであれば、制御信号は、受信機で生成され得る。そして、制御回路ＣＮＴ１は例えば、記録設備で生成され、既に説明した技術の１つにより送信される付加的な制御信号を適切に分離または復調する。
【００６５】
図８では、サウンド源Ｌ、Ｌｓ、Ｃ、Ｒｓ、Ｒからもたらされる５つの入力信号が、それらと、上記のｎ＝５の場合の式による要素α、β、δ、ηとを乗算する回路に適用される。それぞれの結果は、ダウンミックスされたステレオ信号Ｌｏ、Ｒｏを出力としてそれぞれ与えている２つの加算回路ＡＤ３、ＡＤ４に供給される。
【００６６】
制御は、図７に関して説明された方法と同等な方法で制御回路ＣＮＴ２によりなされる。
【００６７】
図９では、サウンド源Ｌ、Ｌｓ、Ｌｓｓ、Ｃ、Ｒｓｓ、Ｒｓ、Ｒからもたらされる７つの入力信号が、それらと、上記のｎ＝７の場合の式による要素α、β、δ、η、γ、εとを乗算する回路に適用される。それぞれの結果は、ダウンミックスされたステレオ信号Ｌｏ、Ｒｏの出力として与えている、２つの加算回路ＡＤ５、ＡＤ６にそれぞれ供給される。
【００６８】
制御は、図７および図８に関して説明された方法と同等な方法で制御回路ＣＮＴ３によりなされる。
【００６９】
本発明の方法は、方法の１以上のステップの実施のためのプログラムコード手段を含むコンピュータのためのプログラムによって、このプログラムがコンピュータ上で動作している場合に、有利に実装され得る。したがって、保護の範囲は、そこに記録されたメッセージを持つコンピュータ可読手段に加えて、コンピュータのためのそのようなプログラムまで広げられるものと理解される。コンピュータ可読手段は、このプログラムがコンピュータ上で動作している場合に、方法の１以上のステップの実施のためのプログラムコード手段を含む。
【００７０】
今後は上述した種々の乗算パラメータのための数値範囲を開示している数値テーブルのさらなる説明である。
【表１】
2015510327.tif 000003
【００７１】
しかしながら、信号成分は必ずしも線形に結合される必要はないことが強調される。また、２つの信号成分の修正された合計電力を得るための結合を開示するＷＯ２０１１／０５７９２２Ａ１で説明されたように、信号成分における非線形結合は、可能である。
【００７２】
従属する発明の多くの変更、修正、バリエーション、他の使用および応用は、望ましい実施例を開示する明細書と添付している図面を熟慮した後、当業者にとって明らかになる。発明の精神および範囲から出発しない全てのそのような変化、修正、バリエーション、他の使用および応用は、この発明によりカバーされると考えられる。
【００７３】
当業者は上記の説明を教えることから始まって発明を実行することができるので、さらなる実施の詳細は、記述されない。
【図１】
2015510327.tif 000004
【図２】
2015510327.tif 000005
【図３】
2015510327.tif 000006
【図４】
2015510327.tif 000007
【図５】
2015510327.tif 000008
【図６】
2015510327.tif 000009
【図７】
2015510327.tif 000010
【図８】
2015510327.tif 000011
【図９】
2015510327.tif 000012
【国際調査報告】
2015510327.tif 000013
2015510327.tif 000014